(57)【要約】【課題】蓄積ＦＡＸ電話回線網に接続されている画像通信装置から一般回線網に接続されているＦＡＸ装置にＦＡＸデータを送信する場合において、誤った送信履歴が記憶されることを減らす技術を提供すること。【解決手段】送信側ＦＡＸ装置２００では、ＦＡＸデータの送信完了後、第１の所定時間が経過するまでの間に、モデム２３がＦＡＸデータのＦＡＸ送信に失敗したことを示すエラーＦＡＸデータを受信した場合、ＦＡＸデータの送信失敗を示す情報を送信履歴としてＮＶＲＡＭ５７に記憶させる。一方、ＦＡＸデータの送信完了後、第１の所定時間が経過するまでの間に、モデム２３がエラーＦＡＸデータを受信しなかった場合、ＦＡＸデータの送信成功を示す情報を送信履歴としてＮＶＲＡＭ５７に記憶させる。【選択図】図３
2018174364.tif 000002
【特許請求の範囲】
【請求項１】
蓄積ＦＡＸ電話回線網と電話回線を介して接続されるモデムと、
受付部と、
ＦＡＸデータを記憶する記憶部と、
制御部と、
を備え、
前記制御部は、
前記受付部を介してＦＡＸ通信による前記ＦＡＸデータの送信命令を受け付ける受付処理と、
前記受付処理にて前記送信命令を受け付けた場合に、前記モデムを用いて前記ＦＡＸデータを前記蓄積ＦＡＸ電話回線網へ送信させるＦＡＸデータ送信処理と、
前記ＦＡＸデータ送信処理による前記ＦＡＸデータの送信完了後、第１の所定時間が経過するまでの間に、前記モデムが前記蓄積ＦＡＸ電話回線網を経由して前記ＦＡＸデータのＦＡＸ送信に失敗したことを示すエラーＦＡＸデータを受信した場合、前記記憶部に前記ＦＡＸデータの送信失敗を示す情報を送信履歴として記憶させ、前記ＦＡＸデータ送信処理による前記ＦＡＸデータの送信完了後、前記第１の所定時間が経過するまでの間に、前記モデムが前記エラーＦＡＸデータを受信しなかった場合、前記記憶部に前記ＦＡＸデータの送信成功を示す情報を前記送信履歴として記憶させる送信履歴記憶処理と、
を実行することを特徴とする画像通信装置。
【請求項２】
請求項１に記載する画像通信装置において、
前記制御部は、
更に、
前記ＦＡＸデータ送信処理によるＦＡＸデータの送信に成功した後、前記第１の所定時間が経過するまでの間に前記モデムが呼出信号を検出した場合、前記電話回線を閉結させ、前記電話回線が閉結した後、第２の所定時間が経過するまでの間に、前記モデムが前記電話回線が開放されたことを示すビジートーンを検出することなくＦＡＸデータを受信した場合、前記蓄積ＦＡＸ電話回線網から前記エラーＦＡＸデータを受信したと決定する、第１エラーＦＡＸデータ受信決定処理、
を実行することを特徴とする画像通信装置。
【請求項３】
請求項２に記載する画像通信装置において、
前記制御部は、
更に、
前記ＦＡＸデータ送信処理によるＦＡＸデータの送信に成功した後、前記第１の所定時間が経過するまでの間に前記モデムが呼出信号を検出した場合、前記電話回線を閉結させ、前記電話回線が閉結した後、前記第２の所定時間が経過するまでの間に、前記モデムが前記ビジートーンを検出して前記電話回線が開放され、前記電話回線の開放後、前記第１の所定時間が経過するまでの間に前記モデムが前記呼出信号を検出した場合、前記電話回線を閉結させ、前記蓄積ＦＡＸ電話回線網から送信されるＦＡＸデータを前記モデムに受信させる蓄積ＦＡＸ受信処理、
を実行することを特徴とする画像通信装置。
【請求項４】
請求項１に記載する画像通信装置において、
前記記憶部には、前記蓄積ＦＡＸ電話回線網から送信されるＦＡＸ送信が失敗したことを示す特定のフォーマット情報が予め記憶され、
前記制御部は、
更に、
前記ＦＡＸデータ送信処理によるＦＡＸデータの送信に成功した後、前記第１の所定時間が経過するまでの間に前記モデムが呼出信号を検出した場合、前記電話回線を閉結させ、前記電話回線が閉結した後、ＦＡＸデータを受信した場合、受信した前記ＦＡＸデータが予め前記記憶部に記憶された前記特定のフォーマット情報と一致する場合、前記蓄積ＦＡＸ電話回線網から前記エラーＦＡＸデータを受信したと決定する、第２エラーＦＡＸデータ受信決定処理、
を実行することを特徴とする画像通信装置。
【請求項５】
請求項２から請求項４のいずれか１つに記載する画像通信装置において、
表示部を備え、
前記制御部は、
前記モデムが前記エラーＦＡＸデータを受信したと決定した場合、前記表示部に前記ＦＡＸデータのＦＡＸ送信に失敗したことを示す情報を表示させるエラー表示処理、
を実行することを特徴とする画像通信装置。
【発明の詳細な説明】
【技術分野】
【０００１】
本発明は、蓄積ファックス（ＦＡＸ）電話回線網を介してＦＡＸ通信を行う画像通信装置に関する。さらに詳細には、蓄積ＦＡＸ電話回線網を介してＦＡＸ通信を行う場合における送信側の画像通信装置の制御に関するものである。
【背景技術】
【０００２】
特許文献１に開示されているように、近年、画像通信装置が専用の通信ボックスに接続され、通信ボックスが電波を介して特定の通信キャリアの電話回線網の基地局と接続され、さらにゲートウェイを経由して一般回線網を介して受信先のＦＡＸ装置に接続される蓄積ＦＡＸ電話回線網のサービスがある。
【０００３】
蓄積ＦＡＸ電話回線網は、顧客向けに予め備えられた通信ボックスから、その通信ボックスから出力される電波を介して、基地局、ゲートウェイに至る特定の通信キャリアの独自の電話回線網である。また、蓄積ＦＡＸ電話回線網には、中継ＦＡＸ装置が別途設けられる。そして、画像通信装置がＦＡＸデータを一般電話回線網に接続されている受信先のＦＡＸ装置に送信する場合、画像通信装置から、一旦、通信ボックスを経由してＦＡＸデータが蓄積ＦＡＸ電話回線網内の中継ＦＡＸ装置に蓄えられ、次に、中継ＦＡＸ装置に蓄えられたＦＡＸデータが、中継ＦＡＸ装置によって受信先のＦＡＸ装置に送信されるという２段階の工程を用いている。
【０００４】
また、中継ＦＡＸ装置は、２段階目の工程において受信先のＦＡＸ装置へのＦＡＸデータの送信に失敗した場合、ＦＡＸデータを送信した画像通信装置に対してＦＡＸデータの送信が失敗した旨のＦＡＸデータであるエラーＦＡＸデータを、通信ボックスを経由して送信する。
【先行技術文献】
【特許文献】
【０００５】
【特許文献１】特開２００４−３５６９８３号公報
【発明の概要】
【発明が解決しようとする課題】
【０００６】
従来、画像通信装置は、ＦＡＸデータの送信が完了した時点でＦＡＸデータの送信に成功した旨の情報が送信履歴として記憶されるが、蓄積ＦＡＸ電話回線網を用いてＦＡＸ通信を行った場合、次のような問題があった。
【０００７】
画像通信装置が、蓄積ＦＡＸ電話回線網を経由して、一般回線網に接続される受信先のＦＡＸ装置にＦＡＸデータを送信する際、受信先のＦＡＸ装置にＦＡＸデータが届くまでに時間がかかる。また、前述したように２段階の工程が必要であり、画像通信装置から蓄積ＦＡＸ電話回線網内の中継ＦＡＸ装置へのＦＡＸデータの送信が成功したとしても、中継ＦＡＸ装置から受信先のＦＡＸ装置へのＦＡＸデータの送信に失敗することもある。
【０００８】
そのため、画像通信装置は、中継ＦＡＸ装置へのＦＡＸデータの送信が完了した時点において、ＦＡＸデータの送信が成功した旨の情報を送信履歴として記憶してしまうと、実際は中継ＦＡＸ装置から受信先のＦＡＸ装置へのＦＡＸデータの送信に失敗した場合であっても、ＦＡＸデータの送信に成功した旨の情報が送信履歴として記憶されてしまう。
【０００９】
本発明は、前記した従来の技術が有する問題点を解決するためになされたものである。すなわちその課題とするところは、蓄積ＦＡＸ電話回線網に接続されている画像通信装置から一般回線網に接続されているＦＡＸ装置にＦＡＸデータを送信する場合において、誤った送信履歴が記憶されることを減らす技術を提供することにある。
【課題を解決するための手段】
【００１０】
この課題の解決を目的としてなされた画像通信装置は、蓄積ＦＡＸ電話回線網と電話回線を介して接続されるモデムと、受付部と、ＦＡＸデータを記憶する記憶部と、制御部と、を備え、前記制御部は、前記受付部を介してＦＡＸ通信による前記ＦＡＸデータの送信命令を受け付ける受付処理と、前記受付処理にて前記送信命令を受け付けた場合に、前記モデムを用いて前記ＦＡＸデータを前記蓄積ＦＡＸ電話回線網へ送信させるＦＡＸデータ送信処理と、前記ＦＡＸデータ送信処理による前記ＦＡＸデータの送信完了後、第１の所定時間が経過するまでの間に、前記モデムが前記蓄積ＦＡＸ電話回線網を経由して前記ＦＡＸデータのＦＡＸ送信に失敗したことを示すエラーＦＡＸデータを受信した場合、前記記憶部に前記ＦＡＸデータの送信失敗を示す情報を送信履歴として記憶させ、前記ＦＡＸデータ送信処理による前記ＦＡＸデータの送信完了後、前記第１の所定時間が経過するまでの間に、前記モデムが前記エラーＦＡＸデータを受信しなかった場合、前記記憶部に前記ＦＡＸデータの送信成功を示す情報を前記送信履歴として記憶させる送信履歴記憶処理と、を実行することを特徴としている。
【００１１】
画像通信装置から受信側のＦＡＸ装置に蓄積ＦＡＸ電話回線網を経由してＦＡＸデータを送信する際、受信側のＦＡＸ装置にＦＡＸデータが届くまでに時間がかかる。また、蓄積ＦＡＸ電話回線網を経由してＦＡＸデータを送信する際、中継ＦＡＸ装置を経由する必要が有り、画像通信装置から中継ＦＡＸ装置へのＦＡＸデータの送信に成功したとしても、その後、中継ＦＡＸ装置から受信側のＦＡＸ装置へのＦＡＸデータの送信に失敗する場合がある。
【００１２】
そこで、画像通信装置は、蓄積ＦＡＸ電話回線網へのＦＡＸデータの送信完了後、直ぐには送信成功を示す情報を送信履歴として記憶部に記憶させず、第１の所定時間の経過を待つ。そして、画像通信装置は、その第１の所定時間が経過するまでの間に、蓄積ＦＡＸ電話回線網からエラーＦＡＸデータを受信した場合、送信履歴としてＦＡＸデータの送信失敗を示す情報を記憶部に記憶させる。一方、第１の所定時間が経過するまでの間に、蓄積ＦＡＸ電話回線網からエラーＦＡＸデータを受信しなかった場合、受信側のＦＡＸ装置にＦＡＸデータが届いたと判断し、送信履歴としてＦＡＸデータの送信成功を示す情報を記憶部に記憶させる。これにより、誤った送信履歴が記憶されることを減らすことができる。
【００１３】
上記装置の機能を実現するための制御方法、コンピュータプログラム、および当該コンピュータプログラムを格納するコンピュータにて読取可能な記憶媒体も、新規で有用である。
【発明の効果】
【００１４】
本発明によれば、蓄積ＦＡＸ電話回線網に接続されている画像通信装置から一般回線網に接続されているＦＡＸ装置にＦＡＸデータを送信する場合において、誤った送信履歴が記憶されることを減らす技術が実現される。
【図面の簡単な説明】
【００１５】
【図１】実施の形態に係る複合機の電気的構成を示すブロック図である。
【図２】蓄積ＦＡＸを実現するためのシステムおよび蓄積ＦＡＸの手順を示す図である。
【図３】実施の形態にかかる蓄積ＦＡＸの送信失敗時の送信履歴を記憶する手順を示す図である。
【図４】実施の形態にかかる蓄積ＦＡＸの送信成功時の送信履歴を記憶する手順を示す図である。
【図５】エラーＦＡＸデータの画像を示す図である。
【図６】第１の形態に係る複合機におけるメイン処理の手順を示すフローチャートである。
【図７】第１の形態に係る複合機における受信確認処理の手順を示すフローチャートである。
【図８】第２の形態に係る複合機における受信確認処理の手順を示すフローチャートである。
【発明を実施するための形態】
【００１６】
以下、本発明にかかる画像通信装置を具体化した実施の形態について、添付図面を参照しつつ詳細に説明する。本形態は、ファクシミリ（ＦＡＸ）通信機能を備えた複合機（ＭＦＰ：Ｍｕｌｔｉ−Ｆｕｎｃｔｉｏｎ  Ｐｅｒｉｐｈｅｒａｌ）に本発明を適用したものである。
【００１７】
＜ＭＦＰの内部構成＞
ＭＦＰ２００は、図１に示すように、ＦＡＸ通信部３０と、ＬＡＮインターフェース３２と、ＵＳＢインターフェース３３と、電源部３４と、ＡＳＩＣ４１と、ＲＯＭ５１と、ＲＡＭ５２と、画像形成部５３と、画像読取部５４と、操作部５５と、表示部５６と、ＮＶＲＡＭ５７と、を備えている。ＮＶＲＡＭ５７は、不揮発性のメモリである。
【００１８】
ＦＡＸ通信部３０は、回線接続端子１１と、外付電話接続端子１２と、に接続される。回線接続端子１１には、ラインコード（図２参照）が接続される。外付電話接続端子１２には、外付電話（不図示）が接続される。ＦＡＸ通信部３０は、回線接続端子１１を介して接続される通信ボックス４００（図２参照）を介して、相手先のＦＡＸ装置からＦＡＸ画像データを受信することが可能である。また、ＦＡＸ通信部３０は、回線接続端子１１を介して接続される交換機を介して、相手先のＦＡＸ装置に対してＦＡＸデータを送信すること、および相手先のＦＡＸ装置からＦＡＸデータを受信することが可能である。
【００１９】
具体的にＦＡＸ通信部３０には、モデム２３が含まれる。モデム２３は、回線接続端子１１を介して受信したアナログ信号をデジタル信号に変換し、ＡＳＩＣ４１に出力する。また、モデム２３は、ＡＳＩＣ４１から送られるデジタル信号をアナログ信号に変換し、回線接続端子１１を介して送信する。すなわち、モデム２３は、信号の変復調を行う回路である。
【００２０】
ＬＡＮインターフェース（ＬＡＮ  Ｉ／Ｆ）３２は、ＬＡＮケーブルを接続可能な端子（不図示）を備え、その端子を介してコンピュータ等を含むＬＡＮに接続される。ＬＡＮインターフェース３２は、ＬＡＮで接続されたコンピュータとの間で、画像データや制御命令等を送受信する。ＬＡＮインターフェース３２は、受付部の一例である。
【００２１】
ＵＳＢインターフェース（ＵＳＢ  Ｉ／Ｆ）３３は、ＵＳＢ端子（不図示）を備え、その端子を介してコンピュータや、記憶デバイスとして機能するＵＳＢメモリに接続される。そして、ＵＳＢインターフェース３３は、ＵＳＢ端子に接続されたコンピュータやＵＳＢメモリとの間で、画像データや制御命令等を送受信する。
【００２２】
電源部３４は、商用電源に接続可能であって、商用電源から供給される電力を、ＦＡＸ通信部３０、画像形成部５３、画像読取部５４、ＡＳＩＣ４１といった各部に適合する電力に変換し、変換後の電力をそれぞれ供給する。
【００２３】
ＡＳＩＣ４１は、ＣＰＵ４０を搭載している。ＣＰＵ４０は、ＡＳＩＣ４１に入力される情報に基づいて、各種の処理のためのプログラムを実行する。そして、ＣＰＵ４０は、電源部３４、画像形成部５３、画像読取部５４、表示部５６、ＦＡＸ通信部３０、といった各部を制御する。ＣＰＵ４０は、制御部の一例である。また、ＡＳＩＣ４１が制御部の一例であってもよい。
【００２４】
ＲＯＭ５１には、ＣＰＵ４０によって実行されるプログラムおよび各種のデータが記憶されている。ＲＡＭ５２は、ＣＰＵ４０がプログラムを実行する際のワークエリアとして使用される。また、ＲＡＭ５２には、ＦＡＸ通信部３０やＬＡＮインターフェース３２が受信した画像データが記憶される。ＮＶＲＡＭ５７は、ＣＰＵ４０によって実行されるプログラムで用いられるデータが記憶される。ＲＯＭ５１、ＲＡＭ５２ないしＮＶＲＡＭ５７は、記憶部の一例である。
【００２５】
画像形成部５３は、ＲＡＭ５２やＵＳＢ端子に接続されたＵＳＢメモリに記憶された画像データの印刷を行う。すなわち、画像形成部５３は、画像データに基づいて、シートに画像を形成する。画像形成の方式は、電子写真方式であってもよいし、インクジェット方式であってもよい。また、画像形成部５３で行われる印刷は、カラー印刷であってもよいし、モノクロ印刷であってもよい。
【００２６】
画像読取部５４は、シートから画像を読み取り、画像データとしてＲＡＭ５２に記憶させる。本形態の画像読取部５４は、ＣＩＳ（Ｃｏｎｔａｃｔ  Ｉｍａｇｅ  Ｓｅｎｓｏｒ）方式でシートの画像を読み取るように構成されるが、画像読取の方式はこれに限るものではない。
【００２７】
操作部５５は、各種の操作ボタンからなる。ユーザは、操作ボタンの押下により、ＭＦＰ２００に対して各種の入力が可能である。操作ボタンには、例えば、印刷開始指示のような各種の指示を確定するためのＯＫボタン、各種の指示をキャンセルするためのキャンセルボタン、選択するための十字ボタン、数字や文字を入力するためのテンキー、が含まれる。ＡＳＩＣ４１は、操作部５５から各種の操作に対応する信号が入力され、入力された信号に応じて、ＭＦＰ２００の各部を制御する。操作部５５は、受付部の一例である。
【００２８】
表示部５６は、例えば、液晶表示器や各種のランプからなる。なお、液晶表示としてタッチパネルを設けた場合、タッチパネルは、画像表示機能と入力機能とを有することから、表示部５６と操作部５５とを兼ねる。
【００２９】
＜蓄積ＦＡＸの概要＞
続いて、蓄積ＦＡＸの概要について説明する。図２は、蓄積ＦＡＸを実現するためのシステム９００の構成を示している。図２では、ＭＦＰ１００とＭＦＰ２００との間でＦＡＸデータの送受信を行う。ＭＦＰ１００は、ＭＦＰ２００と同じ構成を有しており、詳細な説明は省略する。ＭＦＰ２００は、本願の画像通信装置の一例である。
【００３０】
システム９００には、特定の通信キャリアによって提供される電話回線網であって、蓄積ＦＡＸのサービスを提供することが可能な蓄積ＦＡＸ電話回線網９２０が含まれる。蓄積ＦＡＸ電話回線網９２０には、その特定の通信キャリアの基地局９２１と、中継ＦＡＸ装置３００と、通信ボックス４００と、ゲートウェイ９２２と、が含まれる。蓄積ＦＡＸ電話回線網９２０は、電話回線網であることから、その特定の通信キャリアに対応する携帯電話５００は、基地局９２１を経由して、例えば他の携帯電話（不図示）との通話が可能である。
【００３１】
ＭＦＰ２００は、顧客向けに予め備えられた通信ボックス４００を介して、蓄積ＦＡＸ電話回線網９２０と接続されている。具体的にＭＦＰ２００は、通信ボックス４００とラインコードによって接続されている。
【００３２】
通信ボックス４００は、ＦＡＸデータの変換および圧縮を行う中継器である。具体的に、ＭＦＰ２００からＦＡＸデータを送信する際、通信ボックス４００は、ＭＦＰ２００から送信されたＦＡＸデータのＡＤ変換および圧縮を行い、圧縮後のＦＡＸデータを通信キャリアの電波を利用して送信する。一方、ＭＦＰ２００へのＦＡＸデータを受信する際、通信ボックス４００は、通信キャリアの電波を介して受信したＦＡＸデータの復調およびＤＡ変換を行い、変換後のＦＡＸデータをＭＦＰ２００に送信する。
【００３３】
すなわち、ＭＦＰ２００は、通信ボックス４００と接続され、通信ボックス４００が電波を介して基地局９２１と接続される。蓄積ＦＡＸ電話回線網９２０は、ゲートウェイ９２２を介して一般回線網９１０と接続されている。また、ＭＦＰ１００は、一般回線網９１０と接続されている。そのため、ＭＦＰ２００からＭＦＰ１００にＦＡＸデータを送信する際、ＭＦＰ２００から送信されたＦＡＸデータは、蓄積ＦＡＸ電話回線網９２０を経由して一般回線網９１０に渡り、一般回線網９１０を経由してＭＦＰ１００に到達することになる。また、ＭＦＰ１００からＭＦＰ２００にＦＡＸデータを送信する際、ＭＦＰ１００から送信されたＦＡＸデータは、一般回線網９１０を経由して蓄積ＦＡＸ電話回線網９２０に渡り、蓄積ＦＡＸ電話回線網９２０を経由してＭＦＰ２００に到達することになる。
【００３４】
中継ＦＡＸ装置３００は、ゲートウェイ９２２を通過するＰ２Ｐでのデータの送受信を監視する。例えば、図２に示した構成では、中継ＦＡＸ装置３００は、ＭＦＰ１００とＭＦＰ２００との間のデータの送受信を監視する処理を行っている。
【００３５】
上述のシステム９００において、ＭＦＰ２００（「送信側ＦＡＸ装置２００」とする）からＭＦＰ１００（「受信側ＦＡＸ装置１００」とする）に対してＦＡＸデータを送信する場合、送信側ＦＡＸ装置２００から受信側ＦＡＸ装置１００への本来のルートではなく、送信側ＦＡＸ装置２００から送信されたＦＡＸデータが一旦、中継ＦＡＸ装置３００に蓄積され（図２中の（１））、その後、中継ＦＡＸ装置３００から受信側ＦＡＸ装置１００に送信される（図２中の（２））、といった２段階の工程を踏むルートになる。蓄積ＦＡＸ電話回線網９２０を介したＦＡＸ送信ではデータ遅延が大きくなり、本来のルートではＦＡＸ通信の接続手続が途中で中断してしまう場合があり、正常なＦＡＸ通信が妨げられるからである。
【００３６】
具体的に蓄積ＦＡＸでは、次のような手順を踏むことになる。先ず、送信側ＦＡＸ装置２００と受信側ＦＡＸ装置１００との回線が閉結された後、送信側ＦＡＸ装置２００から受信側ＦＡＸ装置１００に対してＦＡＸ識別信号（ＣＮＧ信号）が送信される。
【００３７】
中継ＦＡＸ装置３００は、ＣＮＧ信号を監視しており、ＣＮＧ信号を検出すると、すなわち蓄積ＦＡＸ電話回線網９２０内のゲートウェイ９２２を通過するデータを監視する中でＣＮＧ信号を見つけると、送信側ＦＡＸ装置２００と受信側ＦＡＸ装置１００との回線を強制的に開放させる指示をゲートウェイ９２２に出力する。これにより、ゲートウェイ９２２によって回線が開放されるため、受信側ＦＡＸ装置１００と送信側ＦＡＸ装置２００との間で通信が行われない。さらに中継ＦＡＸ装置３００は、受信側ＦＡＸ装置１００の代わりに送信側ＦＡＸ装置２００に対して被呼識別信号（ＣＥＤ信号）を送信する。これにより、送信側ＦＡＸ装置２００から中継ＦＡＸ装置３００に対してＦＡＸデータが送信され、中継ＦＡＸ装置３００は、そのＦＡＸデータを受信して自身のメモリに一旦蓄積する。送信完了後は、中継ＦＡＸ装置３００と送信側ＦＡＸ装置２００との回線を開放する。
【００３８】
次に、中継ＦＡＸ装置３００は、改めて受信側ＦＡＸ装置１００の電話番号をダイヤルし、受信側ＦＡＸ装置１００との回線を閉結する。そして、中継ＦＡＸ装置３００から受信側ＦＡＸ装置１００に対してＦＡＸデータが送信される。これにより、送信側ＦＡＸ装置２００から送信されたＦＡＸデータが受信側ＦＡＸ装置１００に届くことになる。送信完了後は、中継ＦＡＸ装置３００と受信側ＦＡＸ装置１００との回線を開放する。
【００３９】
なお、ＭＦＰ２００が受信側となり、ＭＦＰ１００が送信側となった場合も、上述した手順と同様に、中継ＦＡＸ装置３００がＭＦＰ１００からのＦＡＸデータを一旦受信し、その後、中継ＦＡＸ装置３００がＭＦＰ２００にそのＦＡＸデータを送信する手順を踏むことになる。
【００４０】
＜蓄積ＦＡＸの送信履歴＞
続いて、本形態のシステム９００における蓄積ＦＡＸの送信手順および送信履歴の記憶手順について、図３および図４を参照しつつ説明する。図３は、送信側ＦＡＸ装置２００から中継ＦＡＸ装置３００へのＦＡＸデータの送信が成功し、中継ＦＡＸ装置３００から受信側ＦＡＸ装置１００へのＦＡＸデータの送信が失敗した場合、すなわち送信側ＦＡＸ装置２００から送信されたＦＡＸデータが受信側ＦＡＸ装置１００に届かなかった場合を示している。図４は、どちらのＦＡＸデータの送信も成功した場合、すなわち送信側ＦＡＸ装置２００から送信されたＦＡＸデータが受信側ＦＡＸ装置１００に届いた場合を示している。
【００４１】
先ず、送信側ＦＡＸ装置２００からの発呼によって送信側ＦＡＸ装置２００と受信側ＦＡＸ装置１００との回線が閉結されると、送信側ＦＡＸ装置２００からＣＮＧ信号が送信される。
【００４２】
送信側ＦＡＸ装置２００から受信側ＦＡＸ装置１００に対してＣＮＧ信号が送信されると、中継ＦＡＸ装置３００がＣＮＧ信号を検出して、送信側ＦＡＸ装置２００に対してＣＥＤ信号を送信し、さらに送信側ＦＡＸ装置２００と受信側ＦＡＸ装置１００との回線をゲートウェイ９２２に強制的に切断させる。受信側ＦＡＸ装置１００は、ＣＮＧ信号を受信したとしても、回線が切断されていることから、送信側ＦＡＸ装置２００との通信が行われない。
【００４３】
送信側ＦＡＸ装置２００は、中継ＦＡＸ装置３００からのＣＥＤ信号を受信し、中継ＦＡＸ装置３００との所定の接続手続を開始する。接続手続には、能力情報のやり取りやトレーニング信号のやり取りが含まれる。そして、送信側ＦＡＸ装置２００は、中継ＦＡＸ装置３００に対してＦＡＸデータを送信する。これにより、送信側ＦＡＸ装置２００から送信されたＦＡＸデータが、中継ＦＡＸ装置３００に蓄積される（図２中の（１））。ＦＡＸデータの送信完了後は、中継ＦＡＸ装置３００との回線を開放する。ここまでの段階を第１段階とする。なお、送信側ＦＡＸ装置２００は、中継ＦＡＸ装置３００へのＦＡＸデータの送信に成功したものの、その先の中継ＦＡＸ装置３００から受信側ＦＡＸ装置１００へのＦＡＸデータの送信の成否が不明なため、この段階では送信履歴を残さない。
【００４４】
その後、第２段階として、中継ＦＡＸ装置３００は、受信側ＦＡＸ装置１００に対して発呼を行い、受信側ＦＡＸ装置１００と回線を接続する。回線の接続後、中継ＦＡＸ装置３００から受信側ＦＡＸ装置１００に対してＣＮＧ信号が送信され、受信側ＦＡＸ装置１００は、ＣＮＧ信号の受信に応じて、ＣＥＤ信号を中継ＦＡＸ装置３００に送信する。そして、中継ＦＡＸ装置３００と受信側ＦＡＸ装置１００との間で、所定の接続手続きを行う。
【００４５】
接続手続の完了後、中継ＦＡＸ装置３００は、受信側ＦＡＸ装置１００に対して、第２段階において蓄積されたＦＡＸデータを送信する。これにより、送信側ＦＡＸ装置２００から送信されたＦＡＸデータが、受信側ＦＡＸ装置１００に受け渡される（図２中の（２））。なお、図３は、このときのＦＡＸデータの送信に失敗した場合を示しており、図４は、このときのＦＡＸデータの送信に成功した場合を示している。その後は、受信側ＦＡＸ装置１００との回線を開放する。ここまでの段階が２段階である。
【００４６】
中継ＦＡＸ装置３００からのＦＡＸデータの送信に失敗した場合、図３に示すように、中継ＦＡＸ装置３００は、送信側ＦＡＸ装置２００に対して発呼を行い、送信側ＦＡＸ装置２００と回線を接続する。回線の接続後、中継ＦＡＸ装置３００から送信側ＦＡＸ装置２００に対してＣＮＧ信号が送信され、送信側ＦＡＸ装置２００は、ＣＮＧ信号の受信に応じて、ＣＥＤ信号を中継ＦＡＸ装置３００に送信する。そして、中継ＦＡＸ装置３００と送信側ＦＡＸ装置２００との間で、所定の接続手続きを行う。
【００４７】
接続手続の完了後、中継ＦＡＸ装置３００は、送信側ＦＡＸ装置２００に対して、ＦＡＸデータのＦＡＸ送信に失敗したことを示すエラーＦＡＸデータを送信する。エラーＦＡＸデータを受信した送信側ＦＡＸ装置２００は、ＦＡＸ送信に失敗したことを示す送信失敗履歴をＮＶＲＡＭ５７に記憶する。
【００４８】
また、エラーＦＡＸデータを受信した送信側ＦＡＸ装置２００は、エラーＦＡＸデータに基づく画像を画像形成部５３に形成させ、その画像をシートに印刷させる。図５は、エラーＦＡＸデータに基づく画像６０が印刷されたシート１０を示している。エラーＦＡＸデータに基づく画像６０は、通信キャリアからの特別な情報であることを示すマーク６１と、情報の詳細を示すメッセージ６２と、によって構成される。なお、エラーＦＡＸデータに基づく画像６０には、マーク６１とメッセージ６２とが必ずしも両方なければならないことはなく、いずれか一方のみであってもよい。また、シート１０には、送信に失敗したＦＡＸデータの画像も印刷し、エラーＦＡＸデータに基づく画像６０をそのＦＡＸデータの画像に重ねてもよい。送信に失敗したＦＡＸデータの画像も印刷することで、どのＦＡＸデータの送信に失敗したのかをユーザが把握し易い。一方、送信に失敗したＦＡＸデータの画像を印刷しないことで、送信に失敗したＦＡＸデータの画像の安全性を確保できる。また、送信に失敗したＦＡＸデータの画像を印刷するか否かを送信前に設定可能であってもよい。
【００４９】
一方、中継ＦＡＸ装置３００からのＦＡＸデータの送信に成功した場合、図４に示すように、中継ＦＡＸ装置３００は、送信側ＦＡＸ装置２００に対してエラーＦＡＸデータを送信しない。すなわち、送信側ＦＡＸ装置２００は、中継ＦＡＸ装置３００が受信側ＦＡＸ装置１００へのＦＡＸデータの送信が成功した場合、エラーＦＡＸデータを受信することはない。
【００５０】
そこで、送信側ＦＡＸ装置２００は、第１段階でのＦＡＸデータの送信完了後（送信側ＦＡＸ装置２００から中継ＦＡＸ装置３００へのＦＡＸデータの送信完了後）、第１所定時間が経過してもエラーＦＡＸデータを受信していない場合、ＦＡＸ送信に成功したことを示す送信成功履歴をＮＶＲＡＭ５７に記憶する。第１所定時間は、中継ＦＡＸ装置３００から受信側ＦＡＸ装置１００にＦＡＸデータを送信するのに必要な時間よりも長い時間であればよい。本形態では、１５分の固定時間とする。なお、ＦＡＸデータのサイズに応じた可変時間、つまりサイズが大きいほど長い時間としてもよい。
【００５１】
つまり、送信側ＦＡＸ装置２００は、第１段階でのＦＡＸデータの送信完了後、直ぐには送信履歴を記憶せず、第１所定時間が経過するまで中継ＦＡＸ装置３００からエラーＦＡＸデータを受信しなければ、送信成功履歴を記憶する。一方、第１所定時間が経過するまで中継ＦＡＸ装置３００からエラーＦＡＸデータを受信した場合、送信側ＦＡＸ装置２００は、送信失敗履歴を記憶する。これにより、送信側ＦＡＸ装置２００には、中継ＦＡＸ装置３００から受信側ＦＡＸ装置１００へのＦＡＸデータの送信の成否を含めた送信履歴が残される。
【００５２】
＜第１の形態＞
＜メイン処理＞
続いて、前述した送信側ＦＡＸ装置２００（ＭＦＰ２００）の動作を実現する詳細手順について、図６のフローチャートを参照しつつ説明する。なお、図６のフローチャートに示されるメイン処理は、ＭＦＰ２００が起動したことを契機に、ＡＳＩＣ４１のＣＰＵ４０によって実行される。なお、このメイン処理は、ＦＡＸ送信の説明に必要な処理を記載したものであり、その他の処理（例えば、ＦＡＸ受信）については省略している。
【００５３】
図６に示したメイン処理では、ＣＰＵ４０は先ず、ＦＡＸデータを送信する命令であるＦＡＸ送信命令を受け付けたか否かを判断する（Ｓ１０１）。ＭＦＰ２００は、ＦＡＸ送信命令を、操作部５５を介してユーザの操作によって受け付ける。あるいはＬＡＮインターフェース３２を介して外部装置（不図示）から受信する。また、送信対象となるＦＡＸデータは、ＲＡＭ５２に記憶されている。送信対象のＦＡＸデータは、画像読取部５４によって読み取らせた原稿の画像のデータであってもよいし、ＬＡＮインターフェース３２を介して外部装置から受信したデータであってもよい。
【００５４】
ＦＡＸ送信命令を受け付けていなければ（Ｓ１０１：ＮＯ）、ＣＰＵ４０は、Ｓ１０１の判断を繰り返す。ＦＡＸ送信命令を受け付けていれば（Ｓ１０１：ＹＥＳ）、ＣＰＵ４０は、送信対象となるＦＡＸデータをＲＡＭ５２から読み出す（Ｓ１０２）。
【００５５】
Ｓ１０２の後、ＣＰＵ４０は、ＦＡＸ通信部３０を用いて、相手先装置の電話番号をダイヤルし、回線が接続された後、相手先装置との間で、信号の送信や能力情報のやり取りを含む所定の接続手続を、モデム２３に開始させる（Ｓ１０３）。具体的な接続手続としては、先ず、モデム２３によって、ＣＮＧ信号を送信し、ＣＥＤ信号を受信する。さらに、能力情報のやり取りとして、通信速度、圧縮方式、用紙サイズ、の情報を互いに送信し（ＤＩＳ信号やＤＣＳ信号等のやり取り）、ＦＡＸデータを受信するための適切な通信条件を決定する。さらに、通信条件を決定した後は、決定した通信条件に基づくトレーニング信号のやり取りを行う（ＴＣＦ信号やＣＦＲ信号等のやり取り）。このトレーニング信号のやり取りが正常に完了することで、接続手続が正常に完了する。
【００５６】
Ｓ１０３の後、ＣＰＵ４０は、Ｓ１０２にて読み出したＦＡＸデータをモデム２３に送信させる（Ｓ１０４）。ＦＡＸデータの送信の完了後は、回線が切断される。Ｓ１０４は、ＦＡＸデータ送信処理の一例である。
【００５７】
Ｓ１０４の後、ＣＰＵ４０は、ＦＡＸデータの送信に成功したか否かを判断する（Ｓ１１１）。送信側ＦＡＸ装置２００によるＦＡＸ送信は蓄積ＦＡＸ送信であり、Ｓ１１１での送信成否は、中継ＦＡＸ装置３００へのＦＡＸデータの送信の成否を意味する。
【００５８】
ＦＡＸデータの送信に失敗した場合（Ｓ１１１：ＮＯ）、ＣＰＵ４０は、送信失敗履歴をＮＶＲＡＭ５７に記憶する（Ｓ１２１）。すなわち、送信側ＦＡＸ装置２００から中継ＦＡＸ装置３００へのＦＡＸ送信に失敗した場合には、第１所定時間を待たずともＦＡＸ送信に失敗したことがわかる。また、中継ＦＡＸ装置３００から受信側ＦＡＸ装置１００へのＦＡＸデータの送信も行われない。そのため、ＣＰＵ４０は、送信失敗履歴を直ぐにＮＶＲＡＭ５７に記憶する。そして、ＣＰＵ４０は、ＦＡＸデータのＦＡＸ送信に失敗したことを示す情報を通知する（Ｓ１２２）。Ｓ１２２の後、メイン処理を終了する。
【００５９】
具体的に、Ｓ１２２では、例えば、ＦＡＸデータのＦＡＸ送信に失敗したことを示すメッセージを、表示部５６に表示させる。また、ＦＡＸ送信命令を入力したユーザを特定できる場合には、そのユーザのデバイスにＦＡＸデータのＦＡＸ送信に失敗したことを示す信号あるいは電子メールを出力する。
【００６０】
一方、ＦＡＸデータの送信に成功した場合（Ｓ１１１：ＹＥＳ）、送信側ＦＡＸ装置２００からのＦＡＸデータの送信直後の段階では、中継ＦＡＸ装置３００から受信側ＦＡＸ装置１００へのＦＡＸデータの送信が成功するか否かは不明である。そこで、受信側ＦＡＸ装置１００のＦＡＸデータの受信の成否を確認する受信確認処理を実行する（Ｓ１１２）。Ｓ１１２の受信確認処理の詳細は後述する。
【００６１】
Ｓ１１２の後、ＣＰＵ４０は、Ｓ１０４によるＦＡＸデータの送信が完了してから第１所定時間が経過したか否かを判断する（Ｓ１１３）。第１所定時間が経過していなければ（Ｓ１１３：ＮＯ）、ＣＰＵ４０は、Ｓ１１３の判断を繰り返す。
【００６２】
第１所定時間が経過している場合（Ｓ１１３：ＹＥＳ）、ＣＰＵ４０は、ＮＶＲＡＭ５７にＳ１０４での今回のＦＡＸデータの送信に関する送信履歴が有るか否かを判断する（Ｓ１３１）。Ｓ１１２の受信確認処理では、中継ＦＡＸ装置３００から受信側ＦＡＸ装置１００へのＦＡＸデータの送信に失敗した場合、送信失敗履歴がＮＶＲＡＭ５７に記憶される。そこで、送信履歴が既に有る場合（Ｓ１３１：ＹＥＳ）、ＣＰＵ４０は、送信履歴を書き換えることなく、メイン処理を終了する。
【００６３】
送信履歴が無い場合（Ｓ１３１：ＮＯ）、中継ＦＡＸ装置３００から受信側ＦＡＸ装置１００へのＦＡＸデータの送信に成功した可能性が高いことから、ＣＰＵ４０は、送信成功履歴をＮＶＲＡＭ５７に記憶し（Ｓ１３２）、メイン処理を終了する。Ｓ１１２、Ｓ１１３、Ｓ１３１、およびＳ１３２は、送信履歴記憶処理の一例である。
【００６４】
＜受信確認処理＞
続いて、Ｓ１１２によって開始される受信確認処理について、図７のフローチャートを参照しつつ説明する。受信確認処理では、ＣＰＵ４０は先ず、モデム２３が呼出信号を受信したか否かを判断する（Ｓ２０１）。モデム２３が呼出信号を受信していなければ（Ｓ２０１：ＮＯ）、ＣＰＵ４０は、Ｓ２０１の判断を繰り返す。
【００６５】
モデム２３が呼出信号を受信した場合（Ｓ２０１：ＹＥＳ）、ＣＰＵ４０は、モデム２３に電話回線を閉結させる（Ｓ２０２）。これにより、相手先装置との間での回線が接続されることになる。
【００６６】
Ｓ２０２の後、ＣＰＵ４０は、電話回線が開放されたことを示すビジートーンが検出されたか否かを判断する（Ｓ２１１）。ビジートーンが検出されていない場合（Ｓ２１１：ＮＯ）、ＣＰＵ４０は、Ｓ２０２にて電話回線が閉結されてから第２所定時間が経過したか否かを判断する（Ｓ２１２）。第２所定時間は、今回のＦＡＸ受信が蓄積ＦＡＸであった場合にゲートウェイ９２２が強制的に電話回線を切断するのを待つための時間であり、例えば３秒とする。第２所定時間が経過していなければ（Ｓ２１２：ＮＯ）、ＣＰＵ４０は、Ｓ２１１とＳ２１２とを繰り返す。
【００６７】
第２所定時間が経過する前にビジートーンが検出された場合（Ｓ２１１：ＹＥＳ）、ＣＰＵ４０は、蓄積ＦＡＸフラグをオンにする（Ｓ２３１）。蓄積ＦＡＸフラグは、蓄積ＦＡＸ受信であったことを示すフラグである。すなわち、第２所定時間が経過する前に、ビジートーンが検出された場合、今回のＦＡＸ受信が通常の蓄積ＦＡＸ受信の１段階目であり、ゲートウェイ９２２によって強制的に電話回線が切断された可能性が高い。そのため、Ｓ２３１の後、送信履歴を記憶せずに受信確認処理を終了する。
【００６８】
一方、ビジートーンを検出することなく第２所定時間が経過した場合（Ｓ２１２：ＹＥＳ）、ＣＰＵ４０は、相手先装置との間で、ＣＥＤ信号の送信や能力情報のやり取りを含む所定の接続手続を、モデム２３に開始させる（Ｓ２４１）。すなわち、ビジートーンが検出されなかった場合、今回のＦＡＸ受信が通常の蓄積ＦＡＸ受信の２段階目と、エラーＦＡＸデータの受信と、のいずれかである可能性が高い。そこで、ＦＡＸ通信のための所定の接続手続を開始する。
【００６９】
Ｓ２４１の後、ＣＰＵ４０は、モデム２３にＦＡＸデータの受信を開始させる（Ｓ２４２）。具体的にＳ２４２では、モデム２３に画信号の受信を開始させる。そして、画信号の受信を、最終ページを示す信号（ＥＯＰ信号）を受信するまで継続させ、モデム２３が最終ページを示す信号を受信することで終了する。なお、ＣＰＵ４０は、モデム２３が１ページ分のＦＡＸデータを受信する度に、そのＦＡＸデータに基づく画像の印刷を画像形成部５３に行わせる。これにより、今回のＦＡＸ受信が蓄積ＦＡＸの場合、中継ＦＡＸ装置３００に蓄積されていた送信元からのＦＡＸデータに基づく画像が印刷される。一方、今回のＦＡＸ受信がエラーＦＡＸデータの受信の場合、エラーＦＡＸデータに基づく画像が印刷される。Ｓ２４２の後、ＣＰＵ４０は、モデム２３に電話回線を開放させる（Ｓ２４３）。
【００７０】
Ｓ２４３の後、ＣＰＵ４０は、蓄積ＦＡＸフラグがオンか否かを判断する（Ｓ２５１）。蓄積ＦＡＸフラグがオフの場合（Ｓ２５１：ＮＯ）、今回のＦＡＸ受信がエラーＦＡＸデータの受信であるため、ＣＰＵ４０は、送信失敗履歴をＮＶＲＡＭ５７に記憶する（Ｓ２５２）。そして、ＣＰＵ４０は、ＦＡＸデータのＦＡＸ送信に失敗したことを示す情報を通知する（Ｓ２５３）。Ｓ２５３の後、受信確認処理を終了する。
【００７１】
一方、蓄積ＦＡＸフラグがオンの場合（Ｓ２５１：ＹＥＳ）、今回のＦＡＸ受信が蓄積ＦＡＸ受信の２段階目であるため、ＣＰＵ４０は、送信履歴を記憶することなく、受信確認処理を終了する。Ｓ２４２およびＳ２５２は、送信履歴記憶処理を一例である。Ｓ２１１、Ｓ２１２、Ｓ２３１、Ｓ２５１、およびＳ２６１は、第１エラーＦＡＸデータ受信決定処理の一例である。Ｓ２１１、Ｓ２１２、Ｓ２３１、Ｓ２４２、およびＳ２６１は、蓄積ＦＡＸ受信処理の一例である。
【００７２】
すなわち、送信側ＦＡＸ装置２００は、ＦＡＸデータの送信後、第１所定時間が経過する前にＦＡＸデータを受信しただけでは、通常の蓄積ＦＡＸ受信なのか、それともエラーＦＡＸデータのＦＡＸ受信なのかを判別できない。但し、通常の蓄積ＦＡＸ受信の場合、電話回線を閉結した後、直ぐにビジートーンが検出されて電話回線が開放され（蓄積ＦＡＸの１段階目）、その後に再度呼出信号を検出して電話回線を閉結させてＦＡＸデータを受信させる（蓄積ＦＡＸの２段階目）、という一連の工程を踏むことになる。一方、ＦＡＸ受信が失敗したことを示すエラーＦＡＸデータの受信の場合、直ぐにビジートーンが検出されることはなく、送信側ＦＡＸ装置２００は、中継ＦＡＸ装置３００からＦＡＸ送信に失敗したことを示すエラーＦＡＸデータを受信する。故に、送信側ＦＡＸ装置２００が電話回線を閉結した後の第２の所定時間が経過するまでの間にビジートーンを検出することなくＦＡＸデータを受信した場合、蓄積ＦＡＸ電話回線網９２０からエラーＦＡＸデータを受信したことを決定できる。
【００７３】
＜第２の形態＞
続いて、前述した送信側ＦＡＸ装置２００（ＭＦＰ２００）の動作を実現する別の形態について説明する。なお、第２の形態では、第１所定時間が経過するまでの間に受信したＦＡＸデータの画像を解析し、エラーＦＡＸデータか否かを判断する。この点、蓄積ＦＡＸフラグがオンかオフかによって、すなわちビジートーンを検出したか否かによって、エラーＦＡＸデータか否かを判断する第１の形態と異なる。
【００７４】
＜受信確認処理＞
図８は、第２の形態の受信確認処理の手順を示している。本形態の受信確認処理も、第１の形態と同様に、メイン処理のＳ１１２の際、すなわちＦＡＸデータの送信に成功した際、ＡＳＩＣ４１のＣＰＵ４０によって実行される。
【００７５】
本形態の受信確認処理では、ＣＰＵ４０は先ず、モデム２３が呼出信号を受信したか否かを判断する（Ｓ３０１）。モデム２３が呼出信号を受信していなければ（Ｓ３０１：ＮＯ）、ＣＰＵ４０は、Ｓ３０１の判断を繰り返す。
【００７６】
モデム２３が呼出信号を受信した場合（Ｓ３０１：ＹＥＳ）、ＣＰＵ４０は、モデム２３に電話回線を閉結させる（Ｓ３０２）。これにより、相手先装置との間での回線が接続されることになる。
【００７７】
Ｓ３０２の後、ＣＰＵ４０は、相手先装置との間で、ＣＥＤ信号の送信や能力情報のやり取りを含む接続手続を、モデム２３に開始させる（Ｓ３０３）。そして、ＣＰＵ４０は、接続手続が正常に完了したか否かを判断する（Ｓ３０４）。今回のＦＡＸ受信が蓄積ＦＡＸ受信であり、そのうちの第１段階であった場合、ゲートウェイ９２２によって回線が強制的に切断されるため、接続手続が完了しない。そのため、接続手続が正常に完了しなかった場合（Ｓ３０４：ＮＯ）、ＣＰＵ４０は、Ｓ３０４以降の処理を回避し、受信確認処理を終了する。
【００７８】
一方、今回のＦＡＸ受信が蓄積ＦＡＸ受信であり、そのうちの第２段階であった場合（中継ＦＡＸ装置３００に基づく呼出信号であった場合）、あるいはエラーＦＡＸデータを送信するための呼出信号であった場合、接続手続が完了する。そのため、接続手続が正常に完了した場合（Ｓ３０４：ＹＥＳ）、ＣＰＵ４０は、モデム２３にＦＡＸデータの受信を開始させる（Ｓ３０５）。Ｓ３０５の後、ＣＰＵ４０は、モデム２３に電話回線を開放させる（Ｓ３０６）。
【００７９】
Ｓ３０６の後、ＣＰＵ４０は、エラーＦＡＸデータの画像のフォーマット情報であるエラーフォーマットをＲＯＭ５１から読み出す（Ｓ３１１）。エラーフォーマットは、エラーＦＡＸデータに基づく画像６０（図５参照）の全体であってもよいし、そのうちの一部（例えばマーク６１のみ）であってもよい。
【００８０】
Ｓ３１１の後、ＣＰＵ４０は、Ｓ３１１にて読み出したエラーフォーマットの画像と、Ｓ３０４にて受信したＦＡＸデータの画像とを照合し（Ｓ３１２）、Ｓ３１１にて読み出したエラーフォーマットの画像が、Ｓ３０４にて受信したＦＡＸデータの画像に有るか否かを判断する（Ｓ３２１）。例えば、エラーフォーマットの画像がエラーＦＡＸデータに基づく画像６０の全体を示す場合、エラーフォーマットの画像とＦＡＸデータの画像とが一致すれば、ＣＰＵ４０は、エラーフォーマットの画像が有ると判断する。この場合、必ずしも完全一致である必要は無く、所定の割合（例えば９５％）以上一致した場合に、エラーフォーマットの画像が有ると判断すればよい。また、例えば、エラーフォーマットの画像がマーク６１であった場合、ＦＡＸデータの画像にマーク６１が含まれていれば、ＣＰＵ４０は、エラーフォーマットの画像が有ると判断すればよい。
【００８１】
エラーフォーマットの画像がＦＡＸデータの画像に有る場合（Ｓ３２１：ＹＥＳ）、今回のＦＡＸ受信がエラーＦＡＸデータの受信であるため、ＣＰＵ４０は、送信失敗履歴をＮＶＲＡＭ５７に記憶する（Ｓ３２２）。そして、ＣＰＵ４０は、ＦＡＸデータのＦＡＸ送信に失敗したことを示す情報を通知する（Ｓ３２３）。Ｓ３２３は、エラー表示処理の一例である。Ｓ３２３の後、受信確認処理を終了する。
【００８２】
一方、エラーフォーマットの画像がＦＡＸデータの画像に無い場合（Ｓ３２１：ＮＯ）、今回のＦＡＸ受信が蓄積ＦＡＸ受信であるため、ＣＰＵ４０は、送信履歴を記憶することなく、受信確認処理を終了する。Ｓ３０４、Ｓ３１１、Ｓ３１２、およびＳ３２１は、第２エラーＦＡＸデータ受信決定処理の一例である。
【００８３】
第１の形態と同様に、送信側ＦＡＸ装置２００は、ＦＡＸデータを受信しただけでは、通常の蓄積ＦＡＸ受信なのか、それとも蓄積ＦＡＸ電話回線網９２０（中継ＦＡＸ装置３００）からのＦＡＸ受信が失敗したことを示すエラーＦＡＸデータのＦＡＸ受信なのかを判別できない。そこで、第２の形態では、ＦＡＸ送信が失敗したことを示す特定のフォーマット情報を予めＲＯＭ５１に記憶しておき、受信したＦＡＸデータがその特定のフォーマット情報と一致することによって、蓄積ＦＡＸ電話回線網９２０からエラーＦＡＸデータを受信したことを決定できる。
【００８４】
なお、第２の形態では、回線の閉結後にビジートーンの検出を行っていないが、ビジートーンの検出を行ってもよい。この場合、第１の形態と同様に、回線の閉結後、ビジートーンの検出と第２所定時間の経過とを判断し、ビジートーンが検出された場合には、蓄積ＦＡＸの１段階目と判断して、ＣＥＤ信号を応答しない。また、第２初手時間が経過した場合、ＣＥＤ信号を応答し、ＦＡＸデータを受信する。そして、受信したＦＡＸデータの画像とエラーフォーマットの画像とを照合し、一致する場合には、エラーＦＡＸデータに決定し、一致しない場合には、通常の蓄積ＦＡＸに決定してもよい。
【００８５】
以上詳細に説明したように送信側ＦＡＸ装置２００は、蓄積ＦＡＸ電話回線網９２０へのＦＡＸデータの送信完了後、直ぐには送信成功を示す情報をＮＶＲＡＭ５７に記憶させず、第１の所定時間の経過を待つ。そして、その第１の所定時間が経過するまでの間に、送信側ＦＡＸ装置２００が蓄積ＦＡＸ電話回線網９２０からエラーＦＡＸデータを受信した場合、送信履歴としてＦＡＸデータの送信失敗を示す情報をＮＶＲＡＭ５７に記憶させる。一方、第１の所定時間が経過するまでの間に、送信側ＦＡＸ装置２００が蓄積ＦＡＸ電話回線網９２０からエラーＦＡＸデータを受信しなかった場合、受信側ＦＡＸ装置１００にＦＡＸデータが届いたと判断し、送信履歴としてＦＡＸデータの送信成功を示す情報をＮＶＲＡＭ５７に記憶させる。これにより、誤った送信履歴が記憶されることを減らすことができる。
【００８６】
なお、本実施の形態は単なる例示にすぎず、本発明を何ら限定するものではない。したがって本発明は当然に、その要旨を逸脱しない範囲内で種々の改良、変形が可能である。例えば、ＭＦＰに限らず、パーソナルコンピュータ、ＦＡＸ専用装置等、ＦＡＸデータの受信機能を備えるものであれば適用可能である。
【００８７】
また、本実施の形態では、送信履歴を送信側ＦＡＸ装置２００自身の記憶領域（ＮＶＲＡＭ５７）に記憶しているが、外部サーバや外付けのフラッシュメモリ等、外部の記憶領域に記憶してもよい。
【００８８】
また、実施の形態に開示されている処理は、単一のＣＰＵ、複数のＣＰＵ、ＡＳＩＣなどのハードウェア、またはそれらの組み合わせで実行されてもよい。また、実施の形態に開示されている処理は、その処理を実行するためのプログラムを記録した記録媒体、または方法等の種々の態様で実現することができる。
【符号の説明】
【００８９】
２３  モデム
４０  ＣＰＵ
１００  ＭＦＰ（受信側ＦＡＸ装置）
２００  ＭＦＰ（送信側ＦＡＸ装置）
３００  中継ＦＡＸ装置
【図１】
2018174364.tif 000003
【図２】
2018174364.tif 000004
【図３】
2018174364.tif 000005
【図４】
2018174364.tif 000006
【図５】
2018174364.tif 000007
【図６】
2018174364.tif 000008
【図７】
2018174364.tif 000009
【図８】
2018174364.tif 000010